(57)【要約】【課題】ユーザにストレスを与えることなく、ディスプレイの観察方向に応じた映像を表示することのできる補正装置を提供する。【解決手段】本発明に係る補正装置は、リモコン２を用いた所定のユーザ操作がなされたときに、表示パネル５０に供給する映像信号を、ディスプレイを正面とは異なる特定の方向から観測して得られる輝度を、表示パネル５０を正面から観測して得られる輝度に近づけるよう表示パネル５０に供給する映像信号を補正するためのガンマカーブに従ってガンマ補正して出力する補正モードへと切り替わるガンマ補正部２０を備えている。【選択図】図１
2013150217.tif 000002
【特許請求の範囲】
【請求項１】
ディスプレイを正面とは異なる特定の方向から観測して得られる輝度を、上記ディスプレイを正面から観測して得られる輝度に近づけるよう、上記ディスプレイに供給する映像信号を補正するためのガンマカーブを表すガンマカーブデータを格納する格納部と、
上記ディスプレイに供給する映像信号を補正するガンマ補正部であって、入力装置を用いた所定のユーザ操作がなされたときに、上記格納部に格納された上記ガンマカーブデータを参照し、上記ディスプレイに供給する映像信号を上記ガンマカーブに従ってガンマ補正して出力する補正モードへと切り替わるガンマ補正部とを備えている、
ことを特徴とする補正装置。
【請求項２】
上記ガンマカーブデータが表す上記ガンマカーブは、上記ディスプレイを下方から見上げるように観測して得られる輝度を、上記ディスプレイを正面から観測して得られる輝度に近づけるよう、上記ディスプレイに供給する映像信号を補正するためのガンマカーブである、
ことを特徴とする請求項１に記載の補正装置。
【請求項３】
上記格納部には、（１）上記ディスプレイを正面とは異なる第１の方向から観測して得られる輝度を、上記ディスプレイを正面から観測して得られる輝度に近づけるよう、上記ディスプレイに供給される映像信号を補正するための第１のガンマカーブを表す第１のガンマカーブデータと、（２）上記ディスプレイを正面とは異なる第２の方向から観測して得られる輝度を、上記ディスプレイを正面から観測して得られる輝度に近づけるよう、上記ディスプレイに供給される映像信号を補正するための第２のガンマカーブを表す第２のガンマカーブデータとが格納されており、
上記ガンマ補正部は、（１）上記入力装置を用いた第１のユーザ操作がなされたときに、上記格納部に格納された上記第１のガンマカーブデータを参照し、上記ディスプレイに供給される映像信号を上記第１のガンマカーブに従ってガンマ補正して出力する第１の補正モードへとへと切り替わり、（２）上記入力装置を用いた第２のユーザ操作がなされたときに、上記格納部に格納された上記第２のガンマカーブデータを参照し、上記ディスプレイに供給される映像信号を上記第２のガンマカーブに従ってガンマ補正して出力する第２の補正モードへと切り替わる、
ことを特徴とする請求項１又は２に記載の補正装置。
【請求項４】
当該補正装置には、視野角特性の異なる複数のディスプレイの何れかが接続可能であり、
上記格納部には、上記複数のディスプレイの各々に対応するガンマカーブデータが格納されており、
上記ガンマ補正部は、当該補正装置に接続されているディスプレイが上記複数のディスプレイの何れであるかに応じて、参照するガンマカーブデータを切り換える、
ことを特徴とする請求項１から３の何れか１項に記載の補正装置。
【請求項５】
当該補正装置には、パネルサイズの異なる複数のディスプレイの何れかが接続可能であり、
上記格納部には、上記複数のディスプレイの各々に対応するガンマカーブデータが格納されており、
上記ガンマ補正部は、当該補正装置に接続されているディスプレイが上記複数のディスプレイの何れであるかに応じて、参照するガンマカーブデータを切り換える、
ことを特徴とする請求項１から３の何れか１項に記載の補正装置。
【請求項６】
上記ディスプレイに供給する映像信号の色味を補正する色味補正部であって、上記入力装置を用いた上記所定のユーザ操作がなされたときに、上記ディスプレイを正面とは異なる特定の方向から観測して得られる色味を、上記ディスプレイを正面から観測して得られる色味に近づけるよう、上記ディスプレイに供給する映像信号を補正する色味補正部をさらに備えている、
ことを特徴とする請求項１から５の何れか１項に記載の補正装置
【請求項７】
請求項１から５の何れか１項に記載の補正装置と、上記ディスプレイとを備えたテレビジョン受像機。
【請求項８】
上記ディスプレイは、上記ガンマ補正部における補正モードのモード名を、上記映像信号が表す映像に重畳して表示する、
ことを特徴とする請求項７に記載のテレビジョン受像機。
【請求項９】
上記ディスプレイにＯＳＤ表示する映像を表すＯＳＤ信号を生成するＯＳＤ生成部をさらに備え、
上記ディスプレイは、上記ＯＳＤ生成部によって生成されたＯＳＤ信号であって、上記ガンマ補正部によってガンマ補正されていないＯＳＤ信号が表す映像を、上記ガンマ補正部によってガンマ補正された映像信号が表す映像に重畳して表示する、
ことを特徴とする請求項７又は８に記載のテレビジョン受像機。
【請求項１０】
ディスプレイを正面とは異なる特定の方向から観測して得られる輝度を、上記ディスプレイを正面から観測して得られる輝度に近づけるよう、上記ディスプレイに供給する映像信号を補正するためのガンマカーブを表すガンマカーブデータを格納部から読み出す読出ステップと、
上記ディスプレイに供給する映像信号を補正するガンマ補正部の動作モードを、入力装置を用いた所定のユーザ操作がなされたときに、上記読出ステップにて読み出した上記ガンマカーブデータを参照し、上記ディスプレイに供給する映像信号を上記ガンマカーブに従ってガンマ補正して出力する補正モードへと切り替える切替ステップと、を含んでいる、
ことを特徴とする補正方法。
【発明の詳細な説明】
【技術分野】
【０００１】
本発明は、映像信号の補正を行う補正装置、及び、そのような補正装置の補正方法に関するものである。また、そのような補正装置を備えるテレビジョン受像機に関するものである。
【背景技術】
【０００２】
近年、薄型テレビの市場拡大につれ、一般家庭をはじめ様々な場所で高画質のデジタル放送を視聴して楽しむことができるようになってきた。また、ユーザの視聴する場所や視聴シーン、視聴スタイル等も変化してきている。例えば一般家庭の居間、台所、寝室に設置してテレビを真正面で見る場合の他、居間のソファや寝室で寝転がって視聴する視聴スタイルや、薄型テレビを壁掛けにして下方向や斜め左右方向から視聴する視聴スタイルも増大してきた。
【０００３】
このような背景の中で、液晶ディスプレイ（ＬＣＤ：Liquid Crystal Display）を備える液晶表示装置、プラズマディスプレイ（ＰＤ：Plasma Display）を備えるＰＤＰ表示装置、及び、ＥＬ（Electro Luminescence）ディスプレイを備えるＥＬ表示装置などに代表される、ＦＰＤ（Flat Panel Display）を備える表示装置においては、各表示装置の備えるディスプレイの視野角特性以外にも、表面ガラスの外部光の反射、周囲の明るさ等の視聴環境の変化等が加わり、ディスプレイの正面からずれた位置で視聴した際に、ディスプレイに表示される表示映像が見難くなるという問題がある。
【０００４】
特に、液晶表示装置においては、ディスプレイの視野角特性によって、表示映像のコントラストの低下、階調つぶれ、白黒反転現象、及び、色味（色の三要素である、色相、彩度、明度をいう）の変化などが生じる場合がある。
【０００５】
一般的な液晶ディスプレイの視野角特性について、図８を参照して説明する。図８は、ディスプレイの正面に垂直な方向からの角度（極角、視野角）に対する光の透過率の一般的な特性を示すグラフである。
【０００６】
図８に示すように、ディスプレイの正面に垂直な方向（０°）からの角度が下方向になるほど、透過率が下がり、ディスプレイが暗く見えてしまう。
【０００７】
また、ディスプレイを正面から見た場合、及び、正面より３０°下から見た場合の、ディスプレイの備える画素への入力電圧に対する出力輝度の特性を図９に示す。図９は、ディスプレイの備える画素への入力電圧に対する出力輝度の一般的な特性を示す図である。
【０００８】
図９に示すように、ディスプレイを正面から見たとき（曲線Ｘ）よりも、正面の３０°下から見たとき（曲線Ｙ）の方が、画素に同じ電圧が印加されている場合でも、ディスプレイからの出力輝度が低い。つまり、ディスプレイを正面から見たときより、正面の３０°下から見たときの方が、ディスプレイに表示される映像が暗く見える。
【０００９】
これに対し、出願人は、液晶表示素子に対する視野角を検出する視野角検出手段の検出結果に基づいて選択したガンマ補正データに基づき、入力信号に対してガンマ補正を自動で行う液晶表示装置を提案している（特許文献１）。
【先行技術文献】
【特許文献】
【００１０】
【特許文献１】特開平１０−３０１０９２号公報（１９９８年１１月１３日公開）
【発明の概要】
【発明が解決しようとする課題】
【００１１】
しかしながら、特許文献１に記載の技術では、自動でガンマ補正が行われてしまうため、ユーザの意図しないタイミングで映像の見え方がかわってしまう。このため、ユーザにストレスを与えてしまうという問題があった。
【００１２】
本発明は、上記の課題を解決するためになされたものであり、その主たる目的は、ディスプレイの設置場所や壁掛けスタイル等の視聴スタイルの変化に柔軟に対応し、ストレスを与えることなく、ディスプレイの観察方向に応じた映像を表示することのできる補正装置を提供することにある。
【課題を解決するための手段】
【００１３】
本発明に係る補正装置は、上記の課題を解決するために、ディスプレイを正面とは異なる特定の方向から観測して得られる輝度を、上記ディスプレイを正面から観測して得られる輝度に近づけるよう、上記ディスプレイに供給する映像信号を補正するためのガンマカーブを表すガンマカーブデータを格納する格納部と、上記ディスプレイに供給する映像信号を補正するガンマ補正部であって、入力装置を用いた所定のユーザ操作がなされたときに、上記格納部に格納された上記ガンマカーブデータを参照し、上記ディスプレイに供給する映像信号を上記ガンマカーブに従ってガンマ補正して出力する補正モードへと切り替わるガンマ補正部とを備えている、ことを特徴としている。
【００１４】
本発明に係る補正装置の補正方法は、上記の課題を解決するために、ディスプレイを正面とは異なる特定の方向から観測して得られる輝度を、上記ディスプレイを正面から観測して得られる輝度に近づけるよう、上記ディスプレイに供給する映像信号を補正するためのガンマカーブを表すガンマカーブデータを格納部から読み出す読出ステップと、上記ディスプレイに供給する映像信号を補正するガンマ補正部の動作モードを、入力装置を用いた所定のユーザ操作がなされたときに、上記読出ステップにて読み出した上記ガンマカーブデータを参照し、上記ディスプレイに供給する映像信号を上記ガンマカーブに従ってガンマ補正して出力する補正モードへと切り替える切替ステップと、を含んでいる、ことを特徴としている。
【００１５】
上記の構成によれば、ガンマ補正部は、入力装置を用いた所定のユーザ操作がなされたときに、上記ディスプレイを正面とは異なる特定の方向から観測して得られる輝度を、上記ディスプレイを正面から観測して得られる輝度に近づけるようにガンマ補正する。つまり、ガンマ補正部は、ユーザがディスプレイを見る方向に合わせて、映像信号の表す輝度を上記ディスプレイを正面からみた場合の輝度に近づけるようにガンマ補正する。したがって、上記補正装置は、上記ディスプレイの設置場所や壁掛けスタイル等の視聴スタイルの変化に柔軟に対応することができる。
【００１６】
これによって、ユーザは、上記ディスプレイを正面とは異なる特定の方向から入力装置を用いた所定の操作（例えば、所定のボタンを押下）をするだけで、ディスプレイを正面から見ている場合の映像の輝度に近い輝度で映像を見ることができる。
【００１７】
また、ガンマ補正部は、入力装置を用いた所定のユーザ操作がなされたときに限り、ガンマ補正部２０の動作モードを切り替える。このため、ユーザの視角に応じて表示装置１が自動で動作モードを切り替えることがないため、ユーザの意図しないタイミングで動作モードが切り替り、ユーザにストレスを与えてしまうことを防ぐことができる。
【００１８】
また、本発明に係る補正装置において、上記ガンマカーブデータが表す上記ガンマカーブは、上記ディスプレイを下方から見上げるように観測して得られる輝度を、上記ディスプレイを正面から観測して得られる輝度に近づけるよう、上記ディスプレイに供給する映像信号を補正するためのガンマカーブである、ことが好ましい。
【００１９】
上記の構成によれば、ユーザは、例えば、寝転がっている状態のまま、入力装置を用いた所定の操作をするだけで、ディスプレイを正面から見ている場合の映像の輝度に近い輝度で映像を見ることができる。
【００２０】
また、本発明に係る補正装置において、上記格納部には、（１）上記ディスプレイを正面とは異なる第１の方向から観測して得られる輝度を、上記ディスプレイを正面から観測して得られる輝度に近づけるよう、上記ディスプレイに供給される映像信号を補正するための第１のガンマカーブを表す第１のガンマカーブデータと、（２）上記ディスプレイを正面とは異なる第２の方向から観測して得られる輝度を、上記ディスプレイを正面から観測して得られる輝度に近づけるよう、上記ディスプレイに供給される映像信号を補正するための第２のガンマカーブを表す第２のガンマカーブデータとが格納されており、上記ガンマ補正部は、（１）入力装置を用いた第１のユーザ操作がなされたときに、上記格納部に格納された上記第１のガンマカーブデータを参照し、上記ディスプレイに供給される映像信号を上記第１のガンマカーブに従ってガンマ補正して出力する第１の補正モードへとへと切り替わり、（２）入力装置を用いた第２のユーザ操作がなされたときに、上記格納部に格納された上記第２のガンマカーブデータを参照し、上記ディスプレイに供給される映像信号を上記第２のガンマカーブに従ってガンマ補正して出力する第２の補正モードへと切り替わる、ことが好ましい。
【００２１】
上記の構成によれば、ガンマ補正部は、ディスプレイを観察する２つの方向の各々に合わせて、映像信号の表す輝度を上記ディスプレイを正面からみた場合の輝度に近づけるようにガンマ補正する。
【００２２】
これによって、ユーザは、入力装置を用いた所定の操作をするだけで、ディスプレイを観察する２つの方向の何れからディスプレイに表示される映像を見る場合にも、ディスプレイを正面から見ている場合の映像の輝度に近い輝度で映像を見ることができる。
【００２３】
また、本発明に係る補正装置には、視野角特性の異なる複数のディスプレイの何れかが接続可能であり、上記格納部には、上記複数のディスプレイの各々に対応するガンマカーブデータが格納されており、上記ガンマ補正部は、当該補正装置に接続されているディスプレイが上記複数のディスプレイの何れであるかに応じて、参照するガンマカーブデータを切り換える、ことが好ましい。
【００２４】
上記の構成によれば、ガンマ補正部は、映像信号に対して、視野角特性の異なる複数のディスプレイの各々に最適なガンマカーブデータが表すガンマカーブを用いてガンマ補正を行うことができる。これによって、視野角特性の異なるディスプレイの各々に個別に対応する補正装置を複数種類製造する必要がないため、コストの増加を防ぐことができる。
【００２５】
また、本発明に係る補正装置には、パネルサイズの異なる複数のディスプレイの何れかが接続可能であり、上記格納部には、上記複数のディスプレイの各々に対応するガンマカーブデータが格納されており、上記ガンマ補正部は、当該補正装置に接続されているディスプレイが上記複数のディスプレイの何れであるかに応じて、参照するガンマカーブデータを切り換える、ことが好ましい。
【００２６】
上記の構成によれば、ガンマ補正部、映像信号に対して、大きさの異なる複数のディスプレイの各々に最適なガンマカーブデータが表すガンマカーブを用いてガンマ補正を行うことができる。これによって、大きさの異なるディスプレイの各々に個別に対応する補正装置を複数種類製造する必要がないため、コストの増加を防ぐことができる。
【００２７】
また、本発明に係る補正装置は、上記ディスプレイに供給する映像信号の色味を補正する色味補正部であって、上記入力装置を用いた上記所定のユーザ操作がなされたときに、上記ディスプレイを正面とは異なる特定の方向から観測して得られる色味を、上記ディスプレイを正面から観測して得られる色味に近づけるよう、上記ディスプレイに供給する映像信号を補正する色味補正部をさらに備えている、ことが好ましい。
【００２８】
上記の構成によれば、上記補正装置は、ユーザがディスプレイを見る方向に合わせて、輝度及び色味の双方を上記ディスプレイを正面から観測して得られる輝度及び色味に補正する。つまり、ディスプレイには、ユーザがディスプレイを見る方向に合わせて輝度及び色味の双方が最適化された映像信号が表す映像が表示されることになる。
【００２９】
したがって、ユーザは、例えば、寝転がっている状態のまま、入力装置を用いた所定の操作するだけで、上記ディスプレイを正面から見ている場合の映像の輝度及び色味に近い輝度及び色味で映像を見ることができる。
【００３０】
また、上記補正装置と、上記ディスプレイとを備えたテレビジョン受像機も、本発明の範疇に含まれる。
【００３１】
また、本発明に係るテレビジョン受像機は、上記ディスプレイは、上記ガンマ補正部における補正モードのモード名を、上記映像信号が表す映像に重畳して表示する、ことが好ましい。
【００３２】
これによって、ユーザは、ガンマ補正部２０が何れのモードで動作しているかを容易に知ることができる。
【００３３】
また、本発明に係るテレビジョン受像機は、上記ディスプレイに表示するＯＳＤ信号を生成するＯＳＤ生成部をさらに備え、上記ディスプレイは、上記ＯＳＤ生成部によって生成されたＯＳＤ信号であって、上記ガンマ補正部によってガンマ補正されていないＯＳＤ信号が表す映像を、上記ガンマ補正部によってガンマ補正された映像信号が表す映像に重畳して表示する、ことが好ましい。
【００３４】
上記の構成によれば、ユーザは、上記ガンマ補正部において上記映像信号に対してガンマ補正がされている状態（すなわち、上記ディスプレイの正面から見るには適していない状態）であっても、上記ディスプレイを正面から見た場合にガンマ補正のされていないＯＳＤを見ることができるため、当該ＯＳＤによって、ディスプレイに何が表示されているのかを容易に知ることができる。
【発明の効果】
【００３５】
本発明に係る補正装置は、上述のように、ディスプレイを正面とは異なる特定の方向から観測して得られる輝度を、上記ディスプレイを正面から観測して得られる輝度に近づけるよう、上記ディスプレイに供給する映像信号を補正するためのガンマカーブを表すガンマカーブデータを格納する格納部と、上記ディスプレイに供給する映像信号を補正するガンマ補正部であって、入力装置を用いた所定のユーザ操作がなされたときに、上記格納部に格納された上記ガンマカーブデータを参照し、上記ディスプレイに供給する映像信号を上記ガンマカーブに従ってガンマ補正して出力する補正モードへと切り替わるガンマ補正部とを備えている、ことを特徴としている。
【００３６】
また、本発明に係る補正装置の補正方法は、上述のように、ディスプレイを正面とは異なる特定の方向から観測して得られる輝度を、上記ディスプレイを正面から観測して得られる輝度に近づけるよう、上記ディスプレイに供給する映像信号を補正するためのガンマカーブを表すガンマカーブデータを格納部から読み出す読出ステップと、上記ディスプレイに供給する映像信号を補正するガンマ補正部の動作モードを、入力装置を用いた所定のユーザ操作がなされたときに、上記読出ステップにて読み出した上記ガンマカーブデータを参照し、上記ディスプレイに供給する映像信号を上記ガンマカーブに従ってガンマ補正して出力する補正モードへと切り替える切替ステップと、を含んでいる、ことを特徴としている。
【００３７】
これによって、ユーザは、上記ディスプレイを正面とは異なる特定の方向から入力装置を用いた所定の操作をするだけで、ディスプレイを正面から見ている場合の映像の輝度に近い輝度で映像を見ることができる。
【００３８】
したがって、補正装置は、ディスプレイの設置場所や壁掛けスタイル等の視聴スタイルの変化に柔軟に対応することができる。また、上記補正装置は、ユーザの視角に応じて表示装置１が自動で動作モードを切り替えることがないため、ユーザの意図しないタイミングで動作モードが切り替り、ユーザにストレスを与えてしまうことを防ぐことができる。
【図面の簡単な説明】
【００３９】
【図１】本発明の一実施形態に係る表示システムの構成の概要を示すブロック図である。
【図２】本発明の一実施形態に係る表示システムの備えるリモコンの構成の概略を示す図である。
【図３】本発明の一実施形態に係るＬＵＴ記憶部に格納されているＬＵＴが示すガンマカーブの一例を示すグラフである。
【図４】本発明の一実施形態に係るガンマ補正部においてガンマ補正処理が施された映像の一例を示す図である。
【図５】異なる大きさの表示パネルとユーザの視線との関係を示す図である。
【図６】表示パネルの液晶方式と視野角特性との関係の一例を示すグラフである。
【図７】本発明の一実施形態に係る表示装置の表示モードが見上げるモードである場合の、表示画面の一例を示す図である。
【図８】ディスプレイの正面に垂直な方向からの角度に対する光の透過率の一般的な特性を示すグラフである。
【図９】ディスプレイの備える画素への入力電圧に対する出力輝度の一般的な特性を示す図である。
【発明を実施するための形態】
【００４０】
＜実施形態１＞
本発明の一実施形態に係る補正装置について、図１から図７を参照して説明する。但し、この実施形態に記載されている構成は、特に特定的な記載がない限り、この発明の範囲をそれのみに限定する趣旨ではなく、単なる説明例に過ぎない。
【００４１】
〔表示システム〕
まず、本実施形態に係る補正装置を備える表示システムについて、図１を参照して説明する。図１は、本実施形態に係る表示システム１００の構成の概略を示すブロック図である。
【００４２】
図１に示すように、表示システム１００は、表示装置１、及び、リモコン（入力装置）２を備えている。
【００４３】
〔表示装置の構成〕
次に、本実施形態に係る表示装置１について、図１を参照して説明する。図１に示すように、表示装置１は、映像処理部１０、ガンマ補正部２０、ＬＵＴ記憶部（格納部）３０、リモコン受信部４０、及び、表示パネル（ディスプレイ）５０を備えている。なお、本実施形態では、ガンマ補正部２０及びＬＵＴ記憶部３０によって、補正装置を構成している。
【００４４】
（映像処理部）
映像処理部１０は、例えば、外部から入力される映像信号に対して色味調整処理を施す。また、映像処理部１０は、映像信号に対してスケーリング処理を施す。
【００４５】
ここで、色味調整処理とは、例えば、映像信号を加工することによって、その映像信号が表す映像のシャープネス、および、コントラストの少なくとも何れかを変更することを指す。また、スケーリング処理とは、映像信号を加工することによって、その映像信号が表す映像のサイズを相似拡大または相似縮小することを指す。
【００４６】
また、映像処理部１０は、図１に示すように、色味補正部１１、及びガンマ補正部２０を備えている。なお、上述した色味補正処理は、例えば、色味補正部１１において施されればよい。
【００４７】
（ガンマ補正部）
ガンマ補正部２０は、映像処理部１０から供給された映像信号に対し、ガンマ補正処理を施す。具体的には、ガンマ補正部２０は、供給された映像信号の入力階調値に対して、ＬＵＴ記憶部３０から読み出したＬＵＴ（ガンマカーブデータ：ガンマカーブの特性を表すデータ）が表すガンマカーブを参照してガンマ補正処理を施す。なお、ガンマ補正処理、ＬＵＴ、及び、ガンマカーブの詳細については後述するが、ガンマ補正部２０は、表示パネル５０を見るユーザの、表示パネル５０に対する視線の角度に応じたガンマ補正処理を、映像信号に施す。
【００４８】
（ＬＵＴ記憶部）
ＬＵＴ記憶部３０は、映像信号に対してガンマ補正処理が施される際にガンマ補正部２０によって参照されるガンマカーブを示すＬＵＴを格納している。また、ＬＵＴ記憶部３０は、表示パネル５０に対するユーザの視線の角度に応じた複数のガンマカーブを示すＬＵＴを格納している。
【００４９】
（リモコン受信部）
リモコン受信部４０は、リモコン２から出力されるリモコン信号を取得する。リモコン信号としては、例えば、表示装置１の電源のオンとオフとを切り替える旨のリモコン信号などを挙げることができる。また、リモコン受信部４０は、ガンマ補正部２０の動作モードを切り替える動作モード切替信号を取得する。なお、動作モード切替信号については後述する。
【００５０】
（表示パネル）
表示パネル５０は、ガンマ補正部２０から供給された映像信号が表す映像を表示する。
【００５１】
なお、本実施形態では、表示パネル５０が液晶パネルである場合を例に挙げて説明するが、もちろん、プラズマディスプレイパネルであってもよいし、ＥＬパネルであってもよい。
【００５２】
〔リモコンの構成〕
次に、リモコン２の構成について、図２を参照して説明する。図２は、本実施形態に係る表示システム１００が備えるリモコン２の構成の概略を示す図である。
【００５３】
リモコン２は、表示装置１に対するユーザの指示を受け付け、受け付けたユーザ指示に対応するリモコン信号を表示装置１に出力する。
【００５４】
リモコン２は、図２に示すように、表示装置１の電源のオンとオフとを切り替える電源ボタン、及び、表示装置１に表示されるカーソルを移動させる上ボタン、下ボタン、右ボタン及び左ボタンからなるカーソルボタンなどを備えている。また、リモコン２は、ガンマ補正部２０の動作モードを切り替える旨のユーザ指示を受け付ける、見上げるボタン６０を備えている。リモコン２は、見上げるボタン６０が押下されると、表示装置１に、動作モード切替信号を出力する。
【００５５】
なお、本実施形態では、入力装置がリモコンである場合を例に挙げて説明するが、本発明はこれに限定されるものではなく、例えば、リモコン機能を有する携帯電話、スマートフォン、タブレット型ＰＣなどによって入力装置が実現されていてもよい。
【００５６】
〔動作モード〕
ここで、本実施形態に係る補正装置を構成するガンマ補正部２０の動作モードについて説明する。
【００５７】
一般に、液晶パネルなどのディスプレイは、視野角特性を有しており、ユーザが映像を見る場合に、ディスプレイに対するユーザの視線の角度に応じて、表示される映像の色味が異なって見えることが知られており、これは、本実施形態に係る表示パネル５０においても同様である。つまり、表示パネル５０に対する、ユーザの視点の位置の違いによって、表示パネル５０に表示される映像の見え方（すなわち、表示パネル５０を観測して得られる輝度）が異なる。
【００５８】
ユーザが表示装置１を利用する場合、常に表示パネル５０の正面（表示パネル５０の表示面に垂直な方向）から表示パネル５０に表示された映像を見るとは限らない。例えば、ユーザが床などに寝転び、表示パネル５０の表示面の正面よりも下から見上げるように見る場合もある。
【００５９】
このとき、上述したように、表示パネル５０を正面から見た（観測した）ときの映像の光の透過率（観測輝度）と、表示パネル５０を正面とは異なる特定の方向から見たときの映像の光の透過率とが異なる。
【００６０】
本実施形態に係るガンマ補正部２０は、このような場合に、表示パネル５０を正面とは異なる特定の方向から見たときの輝度（映像の見え方）を、表示パネル５０を正面から見たときの輝度に近づける動作モードを有している。
【００６１】
ガンマ補正部２０は、動作モードとして、映像信号に対してガンマ補正処理を施さない、「通常モード」と、ユーザが表示パネル５０の表示面に垂直な位置よりも下から見上げるように見る場合に映像信号に対してガンマ補正処理を施す、「見上げるモード（補正モード）」とを有している。
【００６２】
ガンマ補正部２０は、さらに、見上げるモードとして、表示パネル５０の表示面に垂直な方向と、ユーザの視線とのなす角度θが２０°である場合の「第１の見上げるモード（第１の補正モード）」、及び、角度θが３０°である場合の「第２の見上げるモード（第２の補正モード）」を含んでいる。
【００６３】
なお、本実施形態では、見上げるモードとして、第１及び第２の見上げるモードが含まれている場合を例に挙げて説明するが、本発明はこれに限定されるものではない。例えば、見上げるモードとして、角度θが１０°である場合の見上げるモード、及び角度が１５°である場合の見上げるモードなどをさらに含んでいてもよい。
【００６４】
（表示モードの切り替え）
本実施形態では、ユーザが、リモコン２に備えられた見上げるボタン６０を押下することによって、通常モードと、見上げるモードとを切り替える。なお、以降では、ガンマ補正部２０が通常モードで動作する場合、単に、表示装置１が通常モードで映像を表示する、とも記載する。また、ガンマ補正部２０が見上げるモードで動作する場合、単に、表示装置１が見上げるモードで映像を表示する、とも記載する。
【００６５】
具体的には、表示装置１が通常モードで映像を表示している場合に、例えば床に寝転んだユーザによってリモコン２のボタン６０が押下（第１のユーザ操作）されると、リモコン２から表示装置１に動作モード切替信号が出力される。表示装置１の備えるリモコン受信部４０は、リモコン２から出力された動作モード切替信号を取得すると、当該動作モード切替信号をガンマ補正部２０に供給する。ガンマ補正部２０は、動作モード切替信号が供給されると、動作モードを通常モードから第１の見上げるモードに切り替える。このようにして、ガンマ補正部２０の動作モードが通常モードから第１の見上げるモードに切り替わる。
【００６６】
同様にして、動作モードが第１の見上げるモードである場合に、ユーザによってリモコン２の見上げるボタン６０が押下（第２のユーザ操作）されると、ガンマ補正部２０の動作モードが、第１の見上げるモードから第２の見上げるモードに切り替わる。さらに、動作モードが第２の見上げるモードである場合に、ユーザによってリモコン２の見上げるボタン６０が押下されると、ガンマ補正部２０の動作モードが、第２の見上げるモードから通常モードに切り替る。
【００６７】
なお、ガンマ補正部２０の動作モードが第１の見上げるモードである状態から、通常モードに切り替える場合に、例えば、リモコン２の備える「戻る」ボタンなど、見上げるボタン６０以外のボタンを押下することによって通常モードに切り替える構成を採用してもよい。
【００６８】
〔ＬＵＴ、ガンマカーブ〕
上述の動作モードは、ガンマ補正部２０において、ＬＵＴ記憶部３０に格納されているＬＵＴが表すガンマカーブに従って、映像信号にガンマ補正処理を施すことによって実現される。
【００６９】
次に、ＬＵＴ記憶部３０に格納されている、ガンマ補正処理の際に参照されるＬＵＴ、及び、ガンマカーブの一例について、図３を参照して説明する。図３は、本実施形態に係るＬＵＴ記憶部３０に格納されているＬＵＴが示すガンマカーブの一例を示すグラフである。なお、図３に示すグラフにおいて、横軸は、映像信号の入力階調値を表し、縦軸は、出力値を表している。
【００７０】
ＬＵＴ記憶部３０に格納されているＬＵＴには、２５６通りの入力階調値（０階調〜２５５階調）に対する出力値が、第１の見上げるモード、及び、第２の見上げるもモードの２通り定められている。また、このＬＵＴに定められている値は、図３に示すガンマカーブを表している。
【００７１】
図３に示すように、ＬＵＴ記憶部３０に格納されているＬＵＴは、第１の見上げるモードでは、入力階調値に対する出力値の値が、通常モードのガンマカーブよりも大きくなるようなガンマカーブ（図３における、曲線Ｂ）を表す。さらに、第２の見上げるモードでは、入力階調値に対する出力値の値が、第１の見上げるモードのガンマカーブよりも大きくなるようなガンマカーブ（図３における、曲線Ｃ）を表す。
【００７２】
なお、図３では、参考として、通常モードにおける、入力階調値と出力値との関係を、曲線Ａに示している。
【００７３】
本実施形態に係るガンマ補正部２０は、各動作モードにおいて、上述したＬＵＴが表すガンマカーブに従って、映像信号にガンマ補正処理を施す。つまり、ガンマ補正部２０は、第１の見上げるモードでは、図３における曲線Ｂで表されるガンマカーブに従って映像信号にガンマ補正処理を施し、第２の見上げるモードでは、曲線Ｃで表されるガンマカーブに従って映像信号にガンマ補正処理を施す。
【００７４】
本実施形態に係る表示装置１においてガンマ補正処理が施された映像の一例を、図４に示す。図４（ａ）は、表示パネル５０を正面から見た場合の映像を示し、（ｂ）は、表示パネルを正面より３０°下から見た場合であってガンマ補正処理を施していない場合の映像を示し、（ｃ）表示パネルを正面より３０°下から見た場合であってガンマ補正処理を施した場合の映像を示している。
【００７５】
図４（ｂ）に示すように、表示パネル５０を正面より３０°下から見た場合、ガンマ補正処理を施さないと、ユーザには暗い映像が見えることになる。一方、図４（ｃ）に示すように、表示パネル５０を正面より３０°下から見た場合であっても、ガンマ補正処理を施すことによって、（ａ）に示すように、表示パネル５０を正面から見た場合と近い明るさの映像をユーザに提示することができる。
【００７６】
上述の構成によれば、本実施形態に係る表示システム１００の備える表示装置１は、ガンマ補正部２０及びＬＵＴ記憶部３０を含む補正装置を有することによって、ユーザが表示パネル５０の正面から映像を見ていない場合にも、表示パネル５０を正面から見ている場合の映像に近い映像を表示することができる。すなわち、ガンマ補正部２０は、ユーザが表示パネル５０を見る角度に合わせて、映像信号の表す輝度を最適化することができる。
【００７７】
これによって、ユーザは、例えば、寝転がっている状態のまま、リモコン２に設けられた見上げるボタン６０を押下するだけで、表示パネル５０を正面から見ている場合の映像の輝度に近い輝度で映像を見ることができる。
【００７８】
また、本実施形態に係る表示システム１００は、ユーザがリモコン２を操作した場合にのみガンマ補正部２０の動作モードを切り替える。このため、ユーザの視角に応じて表示装置１が自動で動作モードを切り替えてしまうことによってユーザの意図しないタイミングで動作モードが切り替り、ユーザにストレスを与えてしまうことを防ぐことができる。
【００７９】
〔表示パネルの大きさに最適なガンマ補正処理〕
また、本実施形態では、ユーザの視点の位置が変わる構成を例に挙げて説明したが、ユーザの視点の位置が同じであっても、表示パネルの大きさが異なる場合には、実施形態１と同様に、表示される映像の輝度（見え方）が異なる場合がある。
【００８０】
このような場合について、図５を参照して説明する。図５は、異なる大きさの表示パネルとユーザの視線との関係を示した図である。
【００８１】
図５に示すように、表示パネルが小さい場合には、ユーザの視点と表示パネルの正面に近い位置関係になるが、表示パネルが大きい場合には、ユーザの視点の位置が同じであっても、ユーザの視点が表示パネル５０を見上げるような位置関係になる場合がある。
【００８２】
しかし、このようなパネルの大きさの異なる表示パネルの各々に個別に対応するように、補正装置を複数種類製造することは、コストの増加に繋がってしまう。
【００８３】
そこで、本実施形態に係る補正装置は、大きさの異なる複数の表示パネルに接続可能であって、ＬＵＴ記憶部３０に、複数の表示パネルの各々に対応するＬＵＴを格納していてもよい。
【００８４】
ガンマ補正部２０は、表示パネル５０が、複数の表示パネルの何れかであるかに応じて、ＬＵＴ記憶部３０に格納されているＬＵＴのうち、参照するＬＵＴを切り替える。また、ガンマ補正部２０は、切り替えたＬＵＴが表すガンマカーブを用いて、映像信号にガンマ補正処理を施す。
【００８５】
上述の構成によれば、本実施形態に係るガンマ補正部２０は、映像信号に対して、大きさの異なる複数の表示パネルの各々に最適なＬＵＴが表すガンマカーブを用いてガンマ補正処理を施すことができる。また、大きさの異なる表示パネルの各々に個別に対応する補正装置を複数種類製造する必要がないため、コストの増加を防ぐことができる。
【００８６】
これによって、表示装置１は、表示パネル５０の大きさに最適なガンマ補正処理が施された映像信号を表示パネル５０に表示することができる。したがって、ユーザは、表示パネル５０の大きさに最適なガンマ補正処理が施された映像信号が表す映像を見ることができる。
【００８７】
〔液晶方式に最適なガンマ補正処理〕
また、本実施形態では、液晶パネルである表示パネル５０の液晶の方式（液晶方式）については特に限定していないが、液晶方式によっても、表示パネル５０の視野角特性が異なる場合がある。
【００８８】
しかし、このような視野角特性の異なる表示パネルの各々に個別に対応するように、補正装置を複数種類製造することは、コストの増加に繋がってしまう。
【００８９】
液晶方式と視野角特性との関係について、図６を参照して説明する。図６は、液晶方式と視野角特性との関係の一例を示すグラフである（出典：http://pc.nikkeibp.co.jp/article/NPC/20070806/279187/）。図６（ａ）は、表示パネル５０が、ＩＰＳ（In Plane Switching）液晶方式である場合の視野角特性を示し、（ｂ）は、ＶＡ（Vertical Alignment）液晶方式である場合の視野角特性（ｃ）は、ＴＮ（Twisted Nematic）液晶方式である場合の視野角特性を示している。なお、図６（ａ）〜（ｃ）のそれぞれには、コントラスト比１００：１（最大輝度：最小輝度）の境界Ｐ、及び、コントラスト比１０：１の境界Ｑが示されている。
【００９０】
表示パネル５０がＩＰＳ液晶方式である場合、図６（ａ）に示すように、表示パネル５０の正面のコントラスト比は４００：１程度であり比較的低いが、表示パネル５０の上下左右の視野角は比較的広い。また、斜め方向の視野角は狭くなっている。
【００９１】
表示パネル５０がＶＡ液晶方式である場合、図６（ｂ）に示すように、表示パネル５０の正面のコントラスト比は５００：１程度であり比較的高いが、表示パネル５０の上下左右の視野角は、ＩＰＳ液晶方式である場合よりも狭くなっている。また、斜め方向の視野角は、表示パネル５０がＩＰＳ液晶方式である場合と同様に、狭くなっている。
【００９２】
また、表示パネル５０がＴＮ液晶方式である場合、図６（ｃ）に示すように、表示パネル５０の正面のコントラスト比は比較的高いが、表示パネル５０の上下左右の視野角は、ＩＰＳ液晶方式及びＶＡ液晶方式である場合よりも狭くなっている。これに対し、斜め方向の視野角は、表示パネル５０がＩＰＳ液晶方式及びＶＡ液晶方式である場合よりも、広くなっている。
【００９３】
図６（ａ）〜（ｃ）における境界Ｑからわかるように、表示パネル５０がＩＰＳ液晶方式である場合に、斜め下方向のコントラスト比が低く、ＴＮ液晶方式である場合に、上下左右方向のコントラスト比が低い。
【００９４】
このように、表示パネル５０の液晶方式が異なると、表示パネル５０の視野角特性が異なる。
【００９５】
そこで、本実施形態に係る補正装置は、視野角特性の異なる複数の表示装置に接続可能であって、ＬＵＴ記憶部３０に、複数の表示パネルの各々に対応するＬＵＴを格納していてもよい。
【００９６】
ガンマ補正部２０は、表示パネル５０が、複数の表示パネルの何れかであるかに応じて、ＬＵＴ記憶部３０に格納されているＬＵＴのうち、参照するＬＵＴを切り替える。また、ガンマ補正部２０は、切り替えたＬＵＴが表すガンマカーブを用いて、映像信号にガンマ補正処理を施す。
【００９７】
上述の構成によれば、本実施形態に係るガンマ補正部２０は、映像信号に対して、視野角特性の異なる複数の表示パネルの各々に最適なＬＵＴが表すガンマカーブを用いてガンマ補正処理を施すことができる。また、視野角特性の異なる表示パネルの各々に個別に対応する補正装置を複数種類製造する必要がないため、コストの増加を防ぐことができる。
【００９８】
これによって、表示装置１は、表示パネル５０の視野角特性に（すなわち、液晶方式に）最適なガンマ補正処理が施された映像信号を表示パネル５０に表示することができる。したがって、ユーザは、表示パネル５０の視野角特性に最適なガンマ補正処理が施された映像信号が表す映像を見ることができる。
【００９９】
〔表示画面〕
また、ガンマ補正部２０の動作モードが見上げるモードに設定されている場合の、表示パネル５０の表示画面について、図７を参照して説明する。図７は、ガンマ補正部２０の動作モードが見上げるモードである場合の表示画面の一例を示す図である。図７（ａ）は、見上げるモードであることを常に表示するか否かを選択する選択画面を示し、（ｂ）は、見上げるモードであることを常に表示することが選択された後の表示画面を示している。
【０１００】
図７（ａ）に示すように、ユーザは、ガンマ補正部２０の動作モードが何れの見上げるモードに設定されているかを示すモード名を映像に重畳して常に表示するか、しないかのモード表示設定を選択することができる。
【０１０１】
このモード表示設定に関するユーザ操作は、例えば、トップメニューから順に、ホームメニュー＞設定＞機能切替＞画面表示設定を選択することによって、行われる。
【０１０２】
図７（ａ）に示す選択画面において、「する」が選択されると、図７（ｂ）に示すように、「見上げるモード１に設定されています」という文字列が、映像に重畳されて常に表示されるようになる。なお、図７に示す、見上げるモード１（モード名）は、本実施形態における第１の見上げるモードに対応している。
【０１０３】
このように、動作モードのモード名の表示／非表示を選択することができるため、ユーザは、動作モードを確認しながら映像を見たい場合には、動作モードを表示させることができ、動作モードを表示する必要がない場合には、映像だけを表示させることができる。
【０１０４】
これによって、ユーザは、ガンマ補正部２０が何れのモードで動作しているかを容易に知ることができる。
【０１０５】
なお、本実施形態に係る表示装置１は、ガンマ補正部２０の動作モードのモード名と共に、動作モードに応じた推奨視聴方向を表す映像を、映像に重畳して表示パネル５０に表示してもよい。推奨視聴方向とは、例えば、ガンマ補正部２０の動作モードが見上げるモードである場合には、表示パネル５０を下から見上げる方向であり、ガンマ補正部２０の動作モードが通常モードである場合には、正面である。
【０１０６】
推奨視聴方向を表す映像とは、例えば、推奨視聴方向を示す矢印であってもよいし、「推奨視聴方向は下方向です」などの文字列であってもよい。
【０１０７】
（色味を最適化）
本実施形態では、動作モードを切り替えることによって、ガンマ補正部２０が、ユーザが表示パネル５０を見る角度に合わせて映像信号の表す映像の輝度を最適化する構成を例に挙げて説明したが、本発明はこれに限定されるものではない。
【０１０８】
例えば、ガンマ補正部２０による映像信号の表す映像の輝度の最適化と併せて、色味補正部１１による映像信号の表す映像の色味の最適化を施す構成を採用してもよい。なお、この場合には、ガンマ補正部２０、ＬＵＴ記憶部３０、及び色味補正部１１によって補正装置を構成すればよい。
【０１０９】
具体的には、色味補正部１１は、ガンマ補正部２０の動作モードが通常モードである場合には、映像信号に対して通常の色味補正処理を施し、ガンマ補正部２０の動作モードが見上げるモードである場合には、映像信号に対して、ユーザが表示パネル５０を見る角度に合わせた色味補正処理を施す。
【０１１０】
この場合、色味補正部１１は、ガンマ補正部２０の動作モードが第１の見上げるモードである場合に映像信号に対して第１の色味補正処理を施し、ガンマ補正部２０の動作モードが第２の見上げるモードである場合に映像信号に第２の色味補正処理を施すようにすればよい。
【０１１１】
これによって、補正装置は、ユーザが表示パネル５０を見る角度に合わせて、輝度及び色味の双方を最適化することができる。つまり、表示装置１は、ユーザが表示パネル５０を見る角度に合わせて輝度及び色味の双方が最適化された映像信号が表す映像を表示パネル５０に表示することができる。
【０１１２】
したがって、ユーザは、例えば、寝転がっている状態のまま、リモコン２に設けられた見上げるボタン６０を押下するだけで、表示パネル５０を正面から見ている場合の映像の輝度及び色味に近い輝度及び色味で映像を見ることができる。
【０１１３】
（リモコンの機能）
また、ガンマ補正部２０が動作モードとして、ユーザが表示パネル５０を見上げる角度に合わせたガンマ補正を施す、見上げるモードを有している場合を例に挙げて説明したが、本発明はこれに限定されるものではない。例えば、ユーザが表示パネル５０の上から見下ろす角度に合わせたガンマ補正を施すモード、横から見た角度に合わせてガンマ補正を施すモードなどをさらに有していてもよい。
【０１１４】
なお、ガンマ補正部２０の動作モードを見上げるモードに切り替える場合に、リモコン２の備える見上げるボタン６０を押下する構成を例に挙げて説明したが、上記の場合には、リモコン２が、例えば以下のような構成を備えていればよい。
【０１１５】
例えば、リモコン２は、見上げるボタン６０の代わりに、ガンマ補正部２０の動作モードを切り替えるためのモード切替ボタン（不図示）を備えていればよい。
【０１１６】
リモコン２は、モード切替ボタンが押下された場合、さらに、カーソルボタン（上ボタン、下ボタン、右ボタン及び左ボタン）の押下を受け付ける。リモコン２は、モード切替ボタンが押下された後に右ボタンが押下された場合、表示装置１に対し、ガンマ補正部２０における動作モードをユーザが表示パネル５０を右から見た角度に合わせたガンマ補正を施すモードに切り替える動作モード切替信号を送信する。また、リモコン２は、モード切替ボタンが押下された後に左ボタンが押下された場合、表示装置１に対し、ガンマ補正部２０における動作モードをユーザが表示パネル５０を左から見た角度に合わせたガンマ補正を施すモードに切り替える動作モード切替信号を送信する。
【０１１７】
なお、リモコン２は、モード切替ボタンが押下された後に右ボタン及び下ボタンが押下された場合には、表示装置１に対し、ガンマ補正部２０における動作モードをユーザが表示パネル５０を右下から見た角度に合わせたガンマ補正を施すモードに切り替える動作モード切替信号を送信すればよい。
【０１１８】
このように、リモコン２が、モード切替ボタンを備え、さらに、モード切替ボタンが押下された後にカーソルボタンの押下を受け付けることによって、ガンマ補正部２０の動作モードを切り替えてもよい。
【０１１９】
上述の構成によれば、補正装置は、ユーザが表示パネル５０を見る様々な角度に合わせて、映像信号の輝度を最適化することができる。つまり、表示装置１は、ユーザが表示パネル５０を見る様々な角度に合わせて輝度が最適化された映像信号が表す映像を表示パネル５０に表示することができる。
【０１２０】
したがって、ユーザは、リモコン２に設けられた見上げるボタン６０を押下するだけで、様々な方向から、表示パネル５０を正面から見ている場合の映像の輝度に近い輝度で映像を見ることができる。
【０１２１】
また、本実施形態に係る表示装置１は、表示パネル５０に、ＢＳ放送及びＣＳ放送などの放送種別、選局チャンネル、音量、並びに、外部入力の報知情報などを映像に重畳してＯＳＤ表示する映像を表すＯＳＤ信号を生成するＯＳＤ生成部（不図示）をさらに備えていてもよい。
【０１２２】
この場合、表示パネル５０は、ＯＳＤ生成部によって生成されたＯＳＤ信号であって、ガンマ補正部２０によってガンマ補正されていないＯＳＤ信号が表す映像を、ガンマ補正部２０によってガンマ補正された映像信号が表す映像に重畳して表示することが好ましい。
【０１２３】
上記の構成によれば、ユーザは、ガンマ補正部２０において映像信号に対してガンマ補正がされている状態（すなわち、表示パネル５０の正面から見るには適していない状態）であっても、表示パネル５０を正面から見た場合にガンマ補正のされていないＯＳＤを見ることができるため、当該ＯＳＤによって、表示パネル５０に何が表示されているのかを容易に知ることができる。
【０１２４】
〔プログラム、記憶媒体〕
表示装置１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１２５】
後者の場合、表示装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示装置１の制御プログラムのプログラムコード（実行形式プログラム、中間コードプログラム、ソースプログラム）をコンピュータで読み取り可能に記録した記録媒体を、表示装置１に供給し、そのコンピュータ（またはＣＰＵやＭＰＵ）が記録媒体に記録されているプログラムコードを読み出し実行することによっても、達成可能である。
【０１２６】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１２７】
また、上記プログラムコードは、通信ネットワークを介して表示装置１に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１２８】
なお、本発明は上述した実施形態に限定されるものではなく、請求項に示した範囲で種々の変更が可能である。
【産業上の利用可能性】
【０１２９】
本発明に係る表示装置は、テレビジョン受像機、カーナビゲーションシステムなどに好適に適用することができる。
【符号の説明】
【０１３０】
１        表示装置
２        リモコン（入力装置）
１０      映像処理部
１１      色味補正部
２０      ガンマ補正部
３０      ＬＵＴ記憶部
４０      リモコン受信部
５０      表示パネル（ディスプレイ）
１００    表示システム
【図１】
2013150217.tif 000003
【図３】
2013150217.tif 000004
【図５】
2013150217.tif 000005
【図７】
2013150217.tif 000006
【図８】
2013150217.tif 000007
【図９】
2013150217.tif 000008
【図２】
2013150217.tif 000009
【図４】
2013150217.tif 000010
【図６】
2013150217.tif 000011